(57)【特許請求の範囲】
【請求項１】
少なくとも上部に吸込口（５２０ａ）を有し、前記吸込口から吸い込まれた空気が流れる通風路（５２３）を内部に形成するケーシング（５２）と、
前記ケーシングの内部に設けられるファン（５１）と、
前記ファンを回転させる駆動力を与えるモータ（５０）と、
前記ケーシングを貫通して設けられまたは前記ケーシングよりも空気流れの下流側で空気通路を形成するダクト部（２３）を貫通して設けられて、前記モータに通じる通路（７１ａ，７２ａ，７３ａ）と前記通風路とを連通する冷却風取込通路（７０）と、
前記ケーシングを貫通して設けられまたは前記ダクト部を貫通して設けられて、前記ケーシングの外側に設けられた底部（６０）と前記通風路とを連通する連絡通路（６１）と、
を備え、
前記ケーシングの外側に設けられた前記底部と前記連絡通路とにわたる排水経路（６）と、前記冷却風取込通路と前記モータに通じる前記通路とにわたる冷却風経路（７）とは、互いに隔てられた経路であり、
前記連絡通路は、前記冷却風取込通路よりも空気流れの下流に位置する送風装置。
【請求項２】
前記冷却風取込通路よりも下流側で前記連絡通路よりも上流側において、前記ケーシングまたは前記ダクト部の内壁面から突出する遮蔽壁によって構成される逆流抑制機構（８）をさらに備える請求項１に記載の送風装置。
【請求項３】
前記冷却風取込通路よりも下流側で前記連絡通路よりも上流側において、前記ケーシングまたは前記ダクト部の内壁が突出する突出部によって構成される逆流抑制機構（３０８）をさらに備える請求項１に記載の送風装置。
【請求項４】
前記冷却風取込通路が設けられている壁部分と前記連絡通路が設けられている壁部分とが段差を形成するように、両方の壁部分を連結する連結壁によって構成される逆流抑制機構（１０８，２０８）をさらに備え、
前記連結壁は、前記冷却風取込通路の存在する壁部分が前記連絡通路の存在する壁部分よりも前記通風路において内側に位置するように前記両方の壁部分を連結する請求項１に記載の送風装置。
【請求項５】
請求項１から請求項４のいずれか一項に記載の送風装置（５）を含む送風ユニット（３）と、
前記送風ユニットから車室内に向けて送風される空気を空調する空調機能部品（２０，２１）を含む空調ユニット（２）と、
を備える車両用空調装置。
【発明の詳細な説明】
【技術分野】
【０００１】
この明細書における開示は、モータを有する送風装置及び車両用空調装置に関する。
【背景技術】
【０００２】
特許文献１の送風装置は、ベルマウスプレートの下面からスクロール流路内に向けて突出し、その外側面の一部がスクロール流路のノーズとして機能する突設部を備えている。ベルマウスプレートと突設部と上部スクロールケースとは射出成形によって一体的に形成されている。このため、ベルマウスプレートの上面には、突設部の形成される領域に応じた陥没領域が形成されている。つまり、陥没領域は突設部の内部空間に相当する。突設部の内部空間には、ベルマウスプレートの上面で受けた流入水が流れ込むようになっている。
【０００３】
突設部の隣には、開口部を介してスクロール流路と連通して併設された併設空間が形成されている。併設空間には、ブロワモータに空気を導入する導入口が設けられている。突設部の内部空間と併設空間との間には、突設部の内部空間から併設空間への排水を行うための排水隙間が形成されている。排水隙間は、突設部と下部スクロールケースとの間に形成されている。突設部の内部空間に溜まった水は、排水隙間を介して併設空間に流出し、開口部を通過してスクロール流路に流れ出る。
【先行技術文献】
【特許文献】
【０００４】
【特許文献１】特許第５４６２５９９号公報
【発明の概要】
【発明が解決しようとする課題】
【０００５】
しかしながら、特許文献１の場合、開口部が併設空間を介して導入口に連通するため、突設部の内部空間から併設空間へ流出した水は導入口からモータに向けて流下するという懸念がある。
【０００６】
このような課題に鑑み、この明細書における開示の目的は、ファンケーシングの吸込口の外側に落下した水がモータ冷却用の冷却風取込通路を通じてモータへ流れることを抑制できる送風装置及び車両用空調装置を提供することである。
【課題を解決するための手段】
【０００７】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００８】
開示された送風装置のひとつは、少なくとも上部に吸込口（５２０ａ）を有し、吸込口から吸い込まれた空気が流れる通風路（５２３）を内部に形成するケーシング（５２）と、
ケーシングの内部に設けられるファン（５１）と、
ファンを回転させる駆動力を与えるモータ（５０）と、
ケーシングを貫通して設けられまたはケーシングよりも空気流れの下流側で空気通路を形成するダクト部（２３）を貫通して設けられて、モータに通じる通路（７１ａ，７２ａ，７３ａ）と通風路とを連通する冷却風取込通路（７０）と、
ケーシングを貫通して設けられまたはダクト部を貫通して設けられて、ケーシングの外側に設けられた底部（６０）と通風路とを連通する連絡通路（６１）と、
を備え、
ケーシングの外側に設けられた底部と連絡通路とにわたる排水経路（６）と、冷却風取込通路とモータに通じる通路とにわたる冷却風経路（７）とは、互いに隔てられた経路であり、
連絡通路は、冷却風取込通路よりも空気流れの下流に位置する。
【０００９】
この送風装置によれば、通風路への排水経路とモータへの冷却風経路とは互いに隔てられた経路であり、連絡通路は冷却風取込通路よりも空気流れの下流に位置する。これにより、ケーシングの上部からこぼれてケーシング外側の底部に落下した水は連絡通路を通じて通風路に流出し、通風路を流れる空気の一部は連絡通路よりも上流に位置する冷却風取込通路を通じてモータ側へ流れる。このため、通風路に流出した水が、冷却風取込通路から流出する空気流れとともに、冷却風取込通路からモータ側へ流出してしまうことを抑えることができる。したがって、この送風装置によれば、ケーシングの吸込口の外側に落下した水がモータ冷却用の冷却風取込通路を通じてモータへ流れることを抑制できる。
【００１０】
開示された車両用空調装置のひとつは、送風装置（５）を含む送風ユニット（３）と、送風ユニットから車室内に向けて送風される空気を空調する空調機能部品（２０，２１）を含む空調ユニット（２）と、を備える。
【００１１】
この車両用空調装置によれば、通風路に流出した水が、冷却風取込通路から流出する空気流れとともに、冷却風取込通路からモータ側へ流出してしまうことを抑えることができる。したがって、この車両用空調装置によれば、雨、雪や洗車時の散水によって車外から侵入してケーシングの吸込口の外側に落下した水がモータ冷却用の冷却風取込通路を通じてモータへ流れることを抑制できる。
【図面の簡単な説明】
【００１２】
【図１】送風装置を備える車両用空調装置の一例を示す概要図である。
【図２】第１実施形態の送風装置におけるスクロール通路を示す部分破断斜視図である。
【図３】第１実施形態の送風装置における排水経路を示す部分破断図である。
【図４】第１実施形態の送風装置における冷却風経路を示す部分破断斜視図である。
【図５】第１実施形態の送風装置における排水経路と冷却風経路とを示す部分破断図である。
【図６】第２実施形態の送風装置が備える逆流抑制機構を示す部分破断図である。
【図７】第３実施形態の送風装置が備える逆流抑制機構を示す部分破断図である。
【図８】第４実施形態の送風装置が備える逆流抑制機構を示す部分破断図である。
【図９】第５実施形態の送風装置が備える逆流抑制機構を示す部分破断図である。
【発明を実施するための形態】
【００１３】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１４】
（第１実施形態）
第１実施形態に係る送風ユニット３及び車両用空調装置１について図１〜図５を参照して説明する。図２〜図４には、理解を容易にするためにファン５１を記載していない。図１に示すように、送風ユニット３は、この明細書における課題を解決できる送風装置５を備えた一形態である。車両用空調装置１は、図１に示すように、送風ユニット３を備えた装置の一例である。送風ユニット３は、この装置だけでひとつの製品として使用することもできるし、他の装置と組み合わせることで一つの製品の部品として用いることもできる。第１実施形態では、送風ユニット３を車両用空調装置１の一部品として用いた例を説明する。
【００１５】
図１に示すように、車両用空調装置１は、例えば、送風ユニット３と、送風ユニット３によって送風された送風空気の温度調節を行う空調ユニット２と、送風ユニット３と空調ユニット２を接続する空気通路を構成するダクト部２３と、を備えている。空調ユニット２、送風ユニット３、ダクト部２３は、それぞれ、例えばポリプロピレン（ＰＰ樹脂）の成形品によって形成されている。さらにこれら各部の強度を向上する場合には、所定量のタルクやガラス繊維を含有したＰＰ樹脂を用いてもよい。
【００１６】
送風ユニット３は、車室内のインストルメントパネル裏の空間のうち、中央部から助手席側へオフセットして配置されている。これに対し、空調ユニット２は、インストルメントパネル裏の空間のうち、車両幅の略中央部に配置されている。この空間は、車室内とエンジンルームとの間に形成された空間である。
【００１７】
空調ユニット２は、共通のケースに、蒸発器２０、ヒータコア２１、エアミックスドア等を、車室内に送風する空気を空調するための空調機能部品として内蔵する。蒸発器２０は、車両前後方向には薄型の形態でケース内の通路を横断するように配置されている。したがって、蒸発器２０の上下及び車両左右に延びる前面に送風ユニット３からの送風空気が流入する。蒸発器２０は、冷凍サイクルの冷媒の蒸発潜熱を空調空気から吸熱して、空調空気を冷却する。
【００１８】
蒸発器２０の空気流れ下流側である車両後方には、所定の間隔を隔ててヒータコア２１が配置されている。ヒータコア２１は、蒸発器２０を通過した冷風を加熱し、その内部に高温の温水、例えばエンジン冷却水が流れ、この温水を熱源として空気を加熱する。
【００１９】
ケース内においてヒータコア２１よりも上方部位には、ヒータコア２１をバイパスして冷風空気が流れる冷風バイパス通路が形成されている。また、ケース内におけるヒータコア２１と蒸発器２０との間の部位には、ヒータコア２１で加熱される温風と、冷風バイパス通路を通ってヒータコア２１をバイパスする冷風との風量割合を調整するエアミックスドアが設けられている。
【００２０】
エアミックスドアは、その位置により、ヒータコア２１を通る温風の風量とヒータコア２１を通過しない冷風の風量との比率を調節する。エアミックスドアは、その開度に応じて冷風と温風の風量割合を調節し、空調風の温度調節を行う。ケース内には、蒸発器２０から流れてきた冷風空気とヒータコア２１で加熱された温風空気とが混ざり合う空間であるエアミックスチャンバが形成されている。エアミックスチャンバで温度調節された空調風は、車室内につながる各吹出口を開閉する各ドアを制御することによって、適正な風量割合で車室内へ供給することができる。
【００２１】
送風ユニット３は、内部に空気が流れる通風路を形成するファンケーシング５２と、ファンケーシング５２の内部に設けられるファン５１と、ファン５１に対して回転駆動力を与えるモータ５０と、を備える。送風ユニット３は、車室内空気である内気及び車室外空気である外気の少なくとも一方を取り入れる空気取入装置４に一体に結合されている。空気取入装置４は、内気の取り入れ口である内気取入口と、外気の取り入れ口である外気取入口と、外気及び内気の少なくとも一方が通過する際に埃等を捕捉するフィルタと、を備える。ファン５１は、内気取入口、外気取入口を通して内気や外気を吸入する。これらの空気取入口は、一つまたは複数の空気取入ドアによって、空気取入モードに応じて開閉される。例えば、外気取入口は、ダクトを介して車両カウル下に連通しすることにより、車外と通じている。内気取入口は、インストルメントパネルの下の空間にダクトを介して連通しており、車室内に通じている。
【００２２】
ファン５１は、例えば、外周に環状に並ぶ複数のブレードを有する遠心多翼ファンからなる。ファン５１は、渦巻き状のファンケーシング５２の内部に、空気を下部および上部の少なくとも一方に設けられた吸込み部から吸入し、遠心方向に吹き出す。ファンケーシング５２は、上面や下面にファン５１の吸込口が形成されている。ファンケーシング５２の内部に形成される渦巻状の通路は、ファン５１の周囲の所定の部位からダクト部２３に接続されている。ファンケーシング５２に設けられる吸込口は、通常の車両搭載状態において、地面と平行またはほぼ平行となっている。
【００２３】
モータ５０は、モータ支持部の外壁面から下方に露出するように設けられる。モータ５０は、駆動軸が上方を向く姿勢でモータ支持部に支持されている。モータ５０の駆動軸には、ファン５１の回転軸をなすボス部が固定されている。モータ支持部は、ファンケーシング５２の下面に固定される部材であり、その中央にモータ５０が固定されている。モータ支持部は、その外周部にファンケーシング５２と接触する外周壁部を有する。モータ支持部は、ファンケーシング５２内の通風路に通じる内壁面を上方に向け、外部に露出する外壁面を下方に向けた姿勢でファンケーシング５２に固定されている。
【００２４】
例えば、インストルメントパネル裏の空間に露出するモータ５０の下部の下方には、インストルメントパネル下のアンダーカバーが位置する。アンダーカバーは、露出するモータ５０の一部と乗員の足元との間を遮るように配置されている。
【００２５】
図２及び図４に図示するように、ファンケーシング５２は上面を構成する上側ベルマウス部５２０と、上側ベルマウス部５２０と一体に設けられてファンケーシング５２の外周面を構成する側壁５２１と、を備えている。上側ベルマウス部５２０には、ファン５１の吸込み部に対応する位置に開口する吸込口５２０ａが設けられている。したがって、上側ベルマウス部５２０は、ファンケーシング５２における上部吸込み部を構成する環状のリング板である。
【００２６】
側壁５２１は、ファン５１の周囲を取り囲む通風路５２３を内部に形成する。通風路５２３は、ファン５１の周囲に、スクロール状のファンケーシング５２の内壁に設けられたノーズ部５２２を巻き始めとして一定の拡がり角で構成されたスクロール曲線を描く通路である。通風路５２３は、ノーズ部５２２を起点としてファン５１の周囲に渦巻き状に延びる通路である。通風路５２３は、ノーズ部５２２をゼロ度としファン５１の回転軸を中心とする周方向の回転角である巻き角度が増加するにつれて、すなわち、空気流れの下流に進むにつれて、その通路断面積が拡大するようになっている。
【００２７】
ファンケーシング５２は、モータ５０の回転軸に対して直交する円環板状部分を有する上部ケーシングと、回転軸に対して直交する円環板状部分を有する下部ケーシングと、を備える。上部ケーシングは、ファン５１の上方に位置し上側ベルマウス部５２０を含む。下部ケーシングは、ファン５１の下方に位置し吸込口が形成された下側ベルマウス部を含む。上部ケーシングと下部ケーシングは、一体になってファンケーシング５２を構成してもよいし、側壁５２１によって連結されて上部ケーシング、下部ケーシング及び側壁５２１が一体となってファンケーシング５２を構成してもよい。下部ケーシングの一部は、前述のモータ支持部を構成する。
【００２８】
送風装置５は外気とともに雨、雪等を取り込み、または洗車時等の散水にさらされることがある。空気取入口から送風ユニット３の内部に侵入した水は、上側ベルマウス部５２０の上面から周囲に落下しうる。そこで、送風装置５は、上側ベルマウス部５２０の外側に落下した水を通風路５２３に導く排水経路６と、モータ５０を冷却する空気が流れる冷却風経路７と、を備える。
【００２９】
図３及び図５に図示するように、排水経路６は、側壁５２１の外側において上側ベルマウス部５２０よりも低い位置で側壁５２１に沿うように延びる周囲通路６０と、周囲通路６０と通風路５２３とを連絡する連絡通路６１と、を含んで構成されている。周囲通路６０は、側壁５２１の外側においてノーズ部５２２の外側に向かって側壁５２１に沿うように延び、さらにノーズ部５２２を形成する壁の外側でダクト部２３に沿うように送風方向に向きを変えて連絡通路６１までつながる通路である。周囲通路６０は、上側ベルマウス部５２０の上面から周囲に落下した水を一時的に溜めることが可能な水溜め部でもある。
【００３０】
連絡通路６１は、ファンケーシング５２の外側と通風路５２３とを連通させるように、ファンケーシング５２またはダクト部２３を貫通する貫通穴によって形成されている通路である。連絡通路６１は、ファンケーシング５２またはダクト部２３においてノーズ部５２２が設けられている側の壁部、換言すればノーズ部５２２から吹き出し空気の流下方向に沿って延びる壁部を貫通する通路である。
【００３１】
周囲通路６０を形成する底面の高さは、ノーズ部５２２の外側に近づくほど低くなり、さらに連絡通路６１に向けて低くなるように形成されている。したがって、空気取入口から送風ユニット３の内部に侵入した水は、上側ベルマウス部５２０の上面から周囲に落下した後、高低差によって周囲通路６０を連絡通路６１に向けて流下する。そして、連絡通路６１の近傍にまで到達した水は、ファン５１によって空気が吹き出されて内圧が高くなっているため、通風路５２３に引き込まれるようになる。通風路５２３に流入した水は、空気とともに通風路５２３を流下するが、車両用空調装置１の所定箇所に設けられたドレン排出用通路を介して外部に排出される。
【００３２】
図４及び図５に図示するように、冷却風経路７は、通風路５２３から空気を取り入れる冷却風取込通路７０と、トンネル通路７１ａと、空気が上向きに流れる上昇通路７２ａと、空気が下向きに流れる下降通路７３ａと、を含んで構成されている。冷却風取込通路７０は、通風路５２３と通風路５２３の外部とを連通させるように、ファンケーシング５２またはダクト部２３を貫通する貫通穴によって形成されている通路である。冷却風取込通路７０は、ファンケーシング５２またはダクト部２３においてノーズ部５２２が設けられている側の壁部、換言すればノーズ部５２２から、吹き出し空気の流下方向に沿って延びる壁部を貫通し、連絡通路６１よりも空気流れの上流に位置する通路である。したがって、ファン５１から吹き出された空気は、通風路５２３を流下するときに冷却風取込通路７０の前を通過した後、連絡通路６１の前を通過することになる。
【００３３】
冷却風取込通路７０と連絡通路６１との距離は、実験や数値解析の結果により、当該通路の前を通過する空気の流速に応じて、連絡通路６１から通風路５２３に流出した水が逆流しない距離に設定するものとする。
【００３４】
トンネル通路７１ａは冷却風取込通路７０と上昇通路７２ａと連通させる通路である。トンネル通路７１ａは冷却風取込通路７０と上昇通路７２ａとの間を外部から遮断するように、例えば第１筒体部７１の内部通路によって構成されている。第１筒体部７１の上流端は冷却風取込通路７０に接続され、下流端は上昇通路７２ａに臨む位置にある。第１筒体部７１は、その中心軸線が横方向に延びる形状である。
【００３５】
上昇通路７２ａは、下端が開口し上端に天井壁を有する第２筒体部７２の内表面と第２筒体部７２の天井壁に対向する上端が開口しモータ５０に向かって内部の通路が延びる第３筒体部７３の外表面との間に形成された通路である。第２筒体部７２は、天井壁と天井壁の各辺から下方に延びる側壁とによって囲まれた内部空間を形成し、この内部空間に第３筒体部７３の上部を収容している。第１筒体部７１の下流端は、第２筒体部７２において冷却風取込通路７０に対する位置にある側壁の下部に結合されている。第３筒体部７３の内部通路である下降通路７３ａは、その下流端がモータ５０の内部に接続されまたはモータ５０の外表面に対向するように、設けられている。
【００３６】
この構成により、冷却風取込通路７０、トンネル通路７１ａを順に流れてきた冷却風は、上昇通路７２ａに流出すると、第２筒体部７２の内表面と第３筒体部７３の外表面とに沿って上昇し、第２筒体部７２の天井壁に沿うようにして向きを変える。そして冷却風は、第３筒体部７３の上端開口から下降通路７３ａに流入してモータ５０に向けて下降する。下降通路７３ａを下降する冷却風はモータ５０の内部またはモータ５０の外表面に吹きつけられることで、モータ５０を冷却することができる。
【００３７】
周囲通路６０は、図５に図示するように、ノーズ部５２２の外側から連絡通路６１に至る部位において、ファンケーシング５２またはダクト部２３の側壁と第２筒体部７２の側壁との間に区画されている。さらに周囲通路６０を流れる水は、この部位において第１筒体部７１の上面を流れるので、冷却風取込通路７０を通過した冷却風と排水とはそれぞれ独立した通路を通るため両者は混合しないようになっている。したがって、排水経路６を流れる水と冷却風経路７を流れる空気とは、図５に図示する平面視で交差するものの、互いに共通の通路を流下しない構成となっている。また、排水は、冷却風が通風路５２３から流出する部位よりも下流において通風路５２３に流入する。これにより、通風路５２３に流入した排水が上流の冷却風取込通路７０に逆流してモータ５０側へ流出することを抑制できる。
【００３８】
次に、送風装置５がもたらす作用効果について述べる。送風装置５は、上部に吸込口５２０ａを有し、吸込口５２０ａから吸い込まれた空気が流れる通風路５２３を内部に形成するファンケーシング５２と、ファンケーシング５２の内部に設けられるファン５１と、ファン５１を回転させる駆動力を与えるモータ５０と、を備える。送風装置５は、モータ５０に通じる通路と通風路５２３とを連通する冷却風取込通路７０と、ファンケーシング５２の外側の底部と通風路５２３とを連通する連絡通路６１と、を備える。冷却風取込通路７０はファンケーシング５２を貫通して設けられまたはファンケーシング５２よりも空気流れの下流側で空気通路を形成するダクト部２３を貫通して設けられる通路である。連絡通路６１はファンケーシング５２を貫通して設けられまたはダクト部２３を貫通して設けられる通路である。ファンケーシング５２の外側に設けられた底部と連絡通路６１とにわたる排水経路６と、冷却風取込通路７０とモータ５０に通じる通路とにわたる冷却風経路７とは、互いに隔てられた経路である。連絡通路６１は、冷却風取込通路７０よりも空気流れの下流に位置している。
【００３９】
この送風装置５によれば、通風路５２３への排水経路６とモータ５０への冷却風経路７とは互いに隔てられた経路であり、連絡通路６１は冷却風取込通路７０よりも空気流れの下流に位置する。これにより、ファンケーシング５２の上部からファンケーシング５２の外側の周囲通路６０へ落下した水は連絡通路６１を通じて通風路５２３に流出し、通風路５２３の空気の一部は連絡通路６１よりも上流に位置する冷却風取込通路７０を通じてモータ５０側へ流れる。このため、通風路５２３に流出した水が、冷却風取込通路７０から流出する空気流れとともに、冷却風取込通路７０からモータ５０へ向けて流出してしまうことを抑えることができる。このように送風装置５によれば、ファンケーシング５２の吸込口の外側に落下した水がモータ冷却用の冷却風取込通路７０を通じてモータ５０へ流れることを抑制できる。したがって、モータ５０の内外に水がかかることを抑制する送風装置５を提供できる。
【００４０】
車両用空調装置１は、送風装置５を含む送風ユニット３と、送風ユニット３から車室内に向けて送風される空気を空調する蒸発器２０等の空調機能部品を含む空調ユニット２と、を備える。
【００４１】
この車両用空調装置１によれば、通風路５２３に流出した水が、冷却風取込通路７０から流出する空気流れとともに、冷却風取込通路７０からモータ５０側へ流出してしまうことを抑えることができる。したがって、この車両用空調装置１によれば、雨、雪や洗車時の散水によって車外から侵入してファンケーシング５２の吸込口５２０ａの外側に落下した水がモータ冷却用の冷却風取込通路７０を通じてモータ５０へ流れることを抑制できる。
【００４２】
（第２実施形態）
第２実施形態の逆流抑制機構について図６を参照して説明する。第２実施形態は、第１実施形態の冷却風取込通路７０と連絡通路６１との位置関係に加えて逆流抑制機構８を備える点が第１実施形態と相違する。特に説明しない形態は、第１実施形態と同様とし、以下、第１実施形態と異なる点について説明する。
【００４３】
図６に図示するように、逆流抑制機構８は、冷却風取込通路７０よりも下流側で連絡通路６１よりも上流側において、ファンケーシング５２またはダクト部２３の内壁面から所定寸法突出する遮蔽壁によって構成されている。この遮蔽壁は、連絡通路６１と冷却風取込通路７０とを最短距離で結ぶ経路上に存在している。
【００４４】
遮蔽壁は、空気流れ方向に直交する方向について、連絡通路６１の長さ寸法以上の大きさを有することが好ましい。この遮蔽壁によれば、連絡通路６１を通して通風路５２３に流入した水が逆流して上流側に移動したとしても、遮蔽壁によって上流への移動を効果的に阻止することができる。
【００４５】
遮蔽壁は、内壁面側の根元部分よりも先端が空気流れの下流に位置するように延びる形状であることが好ましい。さらに遮蔽壁は、内壁面側の根元部分から先端にかけて湾曲面を形成していることが好ましい。この遮蔽壁によれば、通風路５２３を流下する空気の流通抵抗を抑制することに貢献できる。
【００４６】
（第３実施形態）
第３実施形態の逆流抑制機構について図７を参照して説明する。第３実施形態では、第２実施形態と相違する逆流抑制機構１０８を開示する。特に説明しない形態は、前述の各実施形態と同様とし、以下、異なる点について説明する。
【００４７】
図７に図示するように、逆流抑制機構１０８は、冷却風取込通路７０が設けられている壁部分と連絡通路６１が設けられている壁部分とが段差を形成するように、両方の壁部分を連結する連結壁によって構成されている。この連結壁は、両方の壁部分や空気流れ方向に対して直交するように延びて、ファンケーシング５２またはダクト部２３の壁の一部をなしている。逆流抑制機構１０８によって、冷却風取込通路７０が存在する壁部分は連絡通路６１が存在する壁部分よりも通風路５２３において内側に位置している。
【００４８】
このように冷却風取込通路７０が存在する壁部分と逆流抑制機構１０８と連絡通路６１が存在する壁部分とは、その表面が階段状に形成されている。この構成により、連絡通路６１を通して通風路５２３に流入した水が逆流して上流側に移動したとしても、逆流抑制機構１０８によってせき止めることが可能であり、排水の上流への移動を阻止することができる。
【００４９】
（第４実施形態）
第４実施形態の逆流抑制機構について図８を参照して説明する。第４実施形態では、第３実施形態と相違する逆流抑制機構２０８を開示する。特に説明しない形態は、第１実施形態及び第２実施形態と同様とし、以下、異なる点について説明する。
【００５０】
図８に図示するように、逆流抑制機構２０８は、冷却風取込通路７０が設けられている壁部分と連絡通路６１が設けられている壁部分とが段差を形成するように、両方の壁部分を連結する連結壁によって構成されている。この連結壁は、両方の壁部分や空気流れ方向に対して傾斜するように延びて、ファンケーシング５２またはダクト部２３の壁の一部をなしている。逆流抑制機構２０８によって、冷却風取込通路７０が存在する壁部分は連絡通路６１が存在する壁部分よりも通風路５２３において内側に位置している。
【００５１】
冷却風取込通路７０が存在する壁部分と逆流抑制機構２０８と連絡通路６１が存在する壁部分とにより、連絡通路６１を通して通風路５２３に流入した水が逆流して上流側に移動したとしても、逆流抑制機構２０８によって上流への移動を妨げることができる。
【００５２】
（第５実施形態）
第５実施形態の逆流抑制機構について図９を参照して説明する。第５実施形態では、第２実施形態と相違する逆流抑制機構３０８を開示する。特に説明しない形態は、第２実施形態と同様とし、以下、異なる点について説明する。
【００５３】
図９に図示するように、逆流抑制機構３０８は、冷却風取込通路７０よりも下流側で連絡通路６１よりも上流側において、ファンケーシング５２またはダクト部２３の内壁が所定寸法突出する突出部によって構成されている。この突出部は、連絡通路６１と冷却風取込通路７０とを最短距離で結ぶ経路上に存在している。
【００５４】
突出部は、空気流れ方向に直交する方向について、連絡通路６１の長さ寸法以上の大きさを有することが好ましい。この突出部によれば、連絡通路６１を通して通風路５２３に流入した水が逆流して上流側に移動したとしても、突出部によって上流への移動を阻止することができる。
【００５５】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００５６】
排水経路６と冷却風経路７とを隔てた経路にする構成は、前述の実施形態において掲載した形態に限定されない。
【００５７】
第２実施形態の逆流抑制機構８は、ダクト部２３等の内壁面から突出する遮蔽壁によって構成されているが、この形態に限定されない。第２実施形態の逆流抑制機構８は、連絡通路６１から上流に向かう空気流れを阻害できる所定の表面積を有する部材であれば、内壁面から突出しない構成でもよい。
【００５８】
前述の実施形態では、送風装置５が搭載するファン５１は遠心ファンであるが、送風装置５はこのようなファンの形態に限定するものではない。
【００５９】
前述の実施形態において、ファン５１、ファンケーシング５２、モータ支持部等の樹脂製部品は、各部の強度を向上すために、所定量のタルクやガラス繊維を含有した樹脂成形品とすることができる。
【符号の説明】
【００６０】
２３…ダクト部、  ５０…モータ
５１…ファン、  ５２…ファンケーシング（ケーシング）
６０…周囲通路（底部）、  ６１…連絡通路
７０…冷却風取込通路、  ７１ａ…トンネル通路（通路）
７２ａ…上昇通路（通路）、  ７３ａ…下降通路（通路）
５２０ａ…吸込口、  ５２３…通風路
【図１】
0006531713.tif 000002
【図２】
0006531713.tif 000003
【図３】
0006531713.tif 000004
【図４】
0006531713.tif 000005
【図５】
0006531713.tif 000006
【図６】
0006531713.tif 000007
【図７】
0006531713.tif 000008
【図８】
0006531713.tif 000009
【図９】
0006531713.tif 000010